(57)【要約】【課題】引戸の引き残し調整装置において、誤作動することをなくして安全性を高めると共に寿命を長くする一方、見栄えを良好にする。【解決手段】引き残し調整装置Ｒは、当接体３０を格納するガイドケース２０の戸先側に遮蔽板部２５ｃを形成し、遮蔽板部を引戸１０のガイド溝１２の戸先側端面の溝開口に嵌め込んでガイド溝に戸当り２０を嵌着し、当接体が引戸を開扉規制する下段の作動位置にあるとき戸先側端面３０ｃと重なるガイドケースの遮蔽板部に細長い操作具６０を通す間隙４０を設け、操作部分が外側にむき出しにならず、当接体の戸先側端面３０ｃのほんの一部が間隙から覗くだけの見栄えの良い構造となしと、故意に悪戯されたり不注意で押したり蹴ったりぶつけたりすることさえ考えられないため、戸当りが誤作動する余地さがんく誤って開扉規制状態が解除されることがない。【選択図】          図１
2017172122.tif 000002
【特許請求の範囲】
【請求項１】
引戸の下端面に沿って凹設したガイド溝内の戸先側に組み込む戸当りと、引戸が移動する軌道下の床面上に固定し、前記ガイド溝に係合して引戸を開閉方向に案内するガイド突起とで構成し、開扉時、引戸を全開する手前の所定引き残し位置で前記ガイド突起に前記戸当りを当ててそれ以上は開かないように規制する一方、必要に応じて、開扉規制を解除して所定引き残し位置よりもさらに開けられるようにする引き残し調整装置であって、
前記戸当りは、
下部側と長手方向一端側の戸尻側端面とを開口する一方、他端側の戸先側端面に遮蔽板部を形成した溝形箱状をなし、該遮蔽板部を前記ガイド溝の戸先側端面の溝開口に嵌め込んで前記ガイド溝に嵌着したガイドケースと、
該ガイドケース内において引戸が開方向に移動するときに長手方向一端側の戸尻側端面が前記ガイド突起に突き当たる作動位置と、引戸が開方向に移動するとき前記ガイド突起を超えて通過する退避位置との間を移動可能に格納した当接体とを備え、
該当接体が作動位置にあるとき前記戸先側端面と重なる前記ガイドケースの前記遮蔽板部に細長い操作具を通す間隙を設けてなることを特徴とする、引戸の引き残し調整装置。
【請求項２】
前記戸当りは、前記当接体を付勢手段で付勢して常時は前記ガイドケース内で長手方向他端側の戸先側端面が前記間隙を塞ぐ位置で前記遮蔽板部に押し当てた状態で保持してなることを特徴とする、請求項１に記載の引戸の引き残し調整装置。
【請求項３】
前記当接体は、引戸の開方向に前記戸先側端面を押し込むと、前記作動位置から前記退避位置に移動する向きに傾斜して形成してなることを特徴とする、請求項１又は２のいずれかに記載の引戸の引き残し調整装置。
【請求項４】
前記ガイドケースは、対向する一対の側板部に前記当接体を前記作動位置と前記退避位置間を移動する前記当接体を案内するガイド部を設けてなることを特徴とする、請求項１２又は３のいずれかに記載の引戸の引き残し調整装置。
【発明の詳細な説明】
【技術分野】
【０００１】
本発明は、引戸を開けたとき、引戸が出入りする扉収納部の戸先側端縁からはみ出た所定の引き残し位置に引戸を止めてそれ以上は開かないように規制する一方、必要に応じて、この開扉規制を解除して引戸をさらに開けられるようにする引戸の引き残し調整装置に関する。
【背景技術】
【０００２】
従来から、引戸を開けたときに、引戸を収納する戸袋や仕切壁などの扉収納部の戸先側端縁と、引戸の戸先側端部との間に、引手や取手を持つ手の指が挟まって怪我をする問題があった。そこで、従来は、引戸を全開する手前の引き残し位置に止めてそれ以上は開かないように開扉規制する一方、必要に応じて、この開扉規制を解除して引戸をさらに全開位置まで開くように調整する、例えば図１３に示すような構造の引き残し調整装置がある。
【０００３】
即ち、従来の引き残し調整装置は、引戸１の下端面の長さ方向に凹設した溝部２内の戸先側に組み込み、断面コ形状の外側ケース４内でへ字形のレバー５を、回動軸６を中心に回動自在に取り付けたストッパ装置３と、引戸１が移動する軌道下の床面７上に固定したブロック体８とで構成し、引戸１を開けたとき、レバー５の戸尻側に有する当接部５ａをブロック体８に当てて引戸１を所定の引き残し位置に止めてそれ以上開かないように規制する一方、レバー５は、戸先側に有する操作部５ｂを外側ケース４の戸先側開口４ａから突出させ、開扉規制状態を解除する操作を操作部５ｂを持って戸先側から行える構造になっている（特許文献１参照）。
【先行技術文献】
【特許文献】
【０００４】
【特許文献１】特開２０１５−２２４５１６号公報
【発明の概要】
【発明が解決しようとする課題】
【０００５】
ところが、上述のような従来の引き残し調整装置では、開扉規制状態を解除するレバー５を外部操作できるように操作部５ｂを外側ケース４の戸先側開口４ａを通して外側にむき出しにしているので、故意に悪戯されたり、不注意で押したり蹴ったりぶつけたりすると、ストッパ装置３が誤作動して開扉規制状態が解除され、その結果、扉収納部９の戸先側端縁と、引戸１の戸先側端部との間に、引手や取手を持つ手の指が挟まって怪我をすることを依然として防止することができない。また、従来の引き残し調整装置では、引戸１を開扉規制状態にある引戸１を引き残し位置まで開けてから、そのまま引き残し位置から閉めると、頭出しした戸先側の操作部５ｂが戸枠に突き当たり、すると、同様にストッパ装置３が誤作動して引戸１の開扉規制が解かれた結果、同様な指挟み事故を起こし、その結果、使用上の安全性に欠けると共に、それだけ誤作動する時間が長いと部品の摩耗も多く、その分だけ寿命が短くなるという課題があった。
【０００６】
さらに、従来の引戸の引き残し調整装置では、ストッパ装置３の外側ケース４の戸先側開口４ａから開扉規制状態を解除するレバー５の操作部５ｂを外側にむき出しにする一方、
溝部２の戸先側端面の開口からストッパ装置３の内部構造が丸見えで見栄えが悪く美観性に欠けるという課題もあった。
【０００７】
そこで、本発明の目的は、引戸の引き残し調整装置において、誤作動することをなくして安全性を高めると共に寿命を長くする一方、見栄えを良好にすることにある。
【課題を解決するための手段】
【０００８】
請求項１に記載の発明は、以下に示す図示実施の形態のとおり、引戸１０の下端面１０ａに沿って凹設したガイド溝１２内の戸先側に組み込む戸当り２０と、引戸１０が移動する軌道下の床面Ｆ上に固定し、前記ガイド溝１２に係合して引戸１０を開閉方向に案内するガイド突起１５とで構成し、開扉時、引戸１０を全開する手前の所定引き残し位置で前記ガイド突起１５に前記戸当り２０を当ててそれ以上は開かないように規制する一方、必要に応じて、開扉規制を解除して所定引き残し位置よりもさらに開けられるようにする引き残し調整装置Ｒであって、前記戸当り２０は、下部側と長手方向一端側の戸尻側端面とを開口する一方、他端側の戸先側端面に遮蔽板部２５ｃを形成した溝形箱状をなし、該遮蔽板部２５ｃを前記ガイド溝１２の戸先側端面の溝開口に嵌め込んで前記ガイド溝１２に嵌着したガイドケース２５と、該ガイドケース２５内において引戸１０が開方向Ｘに移動するときに長手方向一端側の戸尻側端面３０ｄが前記ガイド突起１５に突き当たる作動位置と、引戸が閉方向Ｙに移動するとき前記ガイド突起１５を超えて通過する退避位置との間を移動可能に格納した当接体３０とを備え、該当接体３０が作動位置にあるとき前記戸先側端面と重なる前記ガイドケース２５の前記遮蔽板部２５ｃに細長い操作具６０を通す間隙４０を設けてなることを特徴とする。
【０００９】
請求項２に記載の発明は、請求項１に記載の引戸の引き残し調整装置において、たとえば以下に示す図示実施の形態のとおり、前記戸当り２０は、前記当接体３０を付勢手段で付勢して常時は前記ガイドケース２５内で長手方向他端側の戸先側端面３０ｃが前記間隙４０を塞ぐ位置で前記遮蔽板部２５ｃに押し当てた状態で保持してなることを特徴とする。
【００１０】
請求項３に記載の発明は、請求項１又は２のいずれかに記載の引戸の引き残し調整装置において、たとえば以下に示す図示実施の形態のとおり、前記当接体３０は、前記戸先側端面３０ｃを、引戸の開方向Ｘに押圧すると前記作動位置から前記退避位置に移動する向きに傾斜して形成してなることを特徴とする。
【００１１】
請求項４に記載の発明は、請求項１、２又は３のいずれかに記載の引戸の引き残し調整装置において、たとえば以下に示す図示実施の形態のとおり、前記ガイドケース２５は、対向する一対の側板部２５ａ・２５ａに前記当接体３０を前記作動位置と前記退避位置間を移動する前記当接体３０を案内するガイド穴２１のようなガイド部を設けてなることを特徴とする。
【発明の効果】
【００１２】
請求項１に記載の発明によれば、戸当りの当接体を格納する溝形箱状をなすガイドケースの戸先側に遮蔽板部を形成し、遮蔽板部を引戸のガイド溝の戸先側端面の溝開口に嵌め込んでガイド溝に嵌着し、当接体が引戸を開扉規制する作動位置にあるとき戸先側端面と重なるガイドケースの遮蔽板部に細長い操作具を通す間隙を設ける構成とし、従来のごとく操作部分が外側にむき出しになることがないのは勿論、操作用の間隙から当接体の戸先側端面のほんの一部が操作用の間隙から覗くだけであるため、故意に悪戯されたり不注意で押したり蹴ったりぶつけたりすることさえ考えられないため、戸当りが誤作動する余地さえなく、誤って開扉規制状態が解除されることがない結果、引戸を開くとき、扉収納部の戸先側端縁と引戸の戸先側木口との間に引手を持った手の指が挟まって怪我をすることを確実に防止することができる。また、引戸を、たとえ開扉規制状態のままで所定の引き残し位置から閉めることがあっても、引戸の戸先側木口から突出した部位もないため、それが戸枠に突き当って同様に戸当りが誤作動して引戸の開扉規制が解かれる不具合を発生する余地もなく、従って、同様に指挟み事故を起こすこともなく、その結果、使用上の安全性を高めると共に、それだけ誤作動することが少ないと、部品の摩耗も少なく、その分だけ製品寿命を長くすることができる。
【００１３】
加えて、請求項１に記載の発明によれば、戸当りのガイドケースの戸先側に遮蔽板部を形成し、遮蔽板部を引戸ガイド溝の戸先側端面の溝開口に嵌め込んでガイド溝に嵌着し、当接体が引戸を開扉規制する作動位置にあるとき戸先側端面と重なるガイドケースの遮蔽板部に細長い操作具を通す間隙を設け、これにより、ガイドケースの戸先側から操作具を外側に露出させることなく、引戸のガイド溝の戸先側端面の溝開口から戸当りの内部構造が全く視認できず遮蔽された構造であるため、それだけスッキリした外観を呈し、引戸周りの見栄えを良くして美観性を高めることができる。
【００１４】
請求項２に記載の発明によれば、戸当りの当接体を、付勢手段で常時付勢し、ガイドケース内で長手方向他端側の戸先側端面が操作用の間隙を塞ぐ高さ位置で遮蔽板部に押し当った状態で保持するから、ガイドケース内において引戸が開方向に移動するときに長手方向一端側の戸尻側端面がガイド突起の当接面に突き当たる作動位置に確実に保持すことができ、その結果、戸当りが誤作動して引戸の開扉規制が解かれる不具合を少なくし、その結果、さらに確実に指挟み事故を防止し、誤作動を少なくして一層安全性を高めことができる。
【００１５】
請求項３に記載の発明によれば、戸当りの当接体は、引戸の開方向に戸先側端面を押し込むと、作動位置から退避位置に移動する向きに傾斜して形成するから  細長い操作具で開方向に押し込むだけの簡単な操作により、戸当りの当接体の作動位置と退避位置間の移動をより的確に且つスムーズに行うことができる。
【００１６】
なお、請求項４に記載の発明によれば、戸当りのガイドケースは、対向する一対の側板部に前記作動位置と前記退避位置間を移動する当接体を案内するガイド部を設け、当接体は、ガイド部の傾きに誘導されながら上向きに傾動してガイド突起の当たらない退避位置へ退避し、いったん開扉規制を解除し、当接体の作動位置と退避位置間の移動を確実に且つ安定させることができる。
【図面の簡単な説明】
【００１７】
【図１】本発明に係る引戸の引き残し調整装置を（Ａ）開扉規制した作動状態において示す斜視図、（Ｂ）開扉規制の解除状態において示す斜視図である。
【図２】引き残し調整装置に備えるガイド突起を示す斜視図である。
【図３】引き残し調整装置に備える戸当りを示す分解斜視図である。
【図４】引戸の引き残し調整装置を備えた扉構造体を、下部側を一部断面にして引戸の全閉状態で示す正面図である。
【図５】引戸の引き残し調整装置を備えた扉構造体を、下部側を一部断面にして引戸の全開状態で示す正面図である。
【図６】引戸の引き残し調整装置の戸当りを（Ａ）作動状態で示す正面図（Ｂ）作動状態の内部構造を点線で示す正面図である。
【図７】引戸の引き残し調整装置の戸当りを作動状態で示す斜視図である。
【図８】引戸の引き残し調整装置を備えた扉構造体を、下部側を一部断面にして引戸の開扉規制を解除する操作状態で示す正面図である。
【図９】引戸の引き残し調整装置の戸当りを（Ａ）開扉規制の解除状態で示す正面図（Ｂ）開扉規制の解除状態の内部構造を点線で示す正面図である。
【図１０】引き残し調整装置の戸当りを開扉規制の解除状態で示す斜視図である。
【図１１】引戸の引き残し調整装置を備えた扉構造体を、下部側を一部断面にして引戸の開扉規制を解除してさらに開いた状態で示す正面図である。
【図１２】引戸の引き残し調整装置を備えた扉構造体を、下部側を一部断面にして引戸の全開状態で示す正面図である。
【図１３】従来の引き残し調整装置を（Ａ）作動状態で示す概要図（Ｂ）開扉規制を解除する状態で示す概要図である。
【発明を実施するための形態】
【００１８】
以下、図面を参照しつつ、本発明の実施形態について説明する。
【００１９】
図１は本発明に係る引戸の引き残し調整装置を（Ａ）開扉規制した作動状態において示し（Ｂ）開扉規制の解除状態において示し、図２は引き残し調整装置のガイド突起を示し、図３は戸当りを示し、図４は引き残し調整装置を備えた扉構造体を引戸の全閉状態において示す。図示例の扉構造体は、天井側に固定した引戸レールに戸車を介して係合した引戸１０を図中左右の開閉方向に移動自在に吊持し、開閉時は、戸先側端部１０ａに取り付けた引手１１を持って引戸１０を開閉方向に移動し、床面Ｆと仕切壁Ｗで囲んだ開口部を開閉する構造になっている。
【００２０】
そこで、引戸１０を開閉するとき、本発明の引き残し調整装置Ｒを作動し、開閉方向に移動する引戸１０が横振れしないで直進するように案内する一方、引戸１０を開けるとき、引戸１０が出入りする仕切壁Ｗ（扉収納部）の戸先側端縁５０からはみ出た所定の引き残し位置に引戸１０を止めて、それ以上は開かないように規制する一方、必要に応じて、この開扉規制を解除して引戸をさらに開けられるように調整する。
【００２１】
引戸１０は、例えば木製パネルで、上下の横框と、左右の縦框と、各框間の縦桟および横桟とで格子状に組んだ枠体を間に挟んで一対の鏡板材を張り合わせて組み立て、下部側の横框には、下端面１０ａの長さ方向に沿ってガイド溝１２を凹設する。ガイド溝１２は、断面コ形のガイドレール１３を嵌着して溝壁を補強する。
【００２２】
引き残し調整装置Ｒは、床面Ｆに固設するガイド突起１５と、引戸１０のガイド溝１２内の戸先側に組み込む戸当り２０とからなる。
【００２３】
ガイド突起１５は、図２に示すように、平板状の座部１６と、座部１６の上面から上方向に突出する突部１７とを備え、樹脂材料によって一体に成形してなる。座部１６は、上側から見て略矩形状に形成し、幅方向の中央部に突部１７が突設されている。突部１７の幅方向の厚みは、引戸１０のガイドレール１３の幅方向の長さよりも小さく形成し、引戸１０が移動しても突部１７がガイド溝１２の内壁部に干渉しないようにする。突部１７の突出長さは、ガイド溝１２の深さよりも小さく形成し、突部１７がガイド溝１２内の上面と干渉しないようにする。
【００２４】
ガイド突起１５は、引戸１０に前後方向（引戸１０の板厚方向）への力が作用したときに、突部１７とガイド溝１２の内壁とが干渉して引戸１０が前後方向に外れないようにする振れ止めとしても機能する。
【００２５】
座部１６には、突部１７の幅方向の両側に皿穴１８がそれぞれ設けられている。ガイド突起１５は、皿穴１８に取付ねじ１９を螺着して床面Ｆ上にあって、図４に示すように、引戸１０が出入りする仕切壁Ｗ（扉収納部）の戸先側端縁５０に固定する。従って、引き残し調整装置Ｒは、引戸１０が出入りする仕切壁Ｗ（扉収納部）の戸先側端縁５０からはみ出た所定の引き残し位置に引戸１０を止めてそれ以上は開かないように規制する一方、必要に応じて、この開扉規制を解除して引戸１０をさらに開けられるように調整する。
【００２６】
突部１７は、平面視やや細長な六角形状に形成し、図２に示すように戸先側に位置し、座部１６の上面から上方に起立する態様で略垂直に延びる当接面１７ａを形成する。当接面１７ａには、引戸１０を戸尻側に移動させる際に、後述する戸当り２０の当接体３０の突き当て部５５が突き当たる。
【００２７】
戸当り２０は、図１、図３および図６に示すように、ガイドケース２５と、ガイドケース２５内に組み込む当接体３０と、圧縮コイルばねからなる付製ばね（付勢手段）３５とで構成する。
【００２８】
ガイドケース２５は、金属製で、下部側と長手方向一端側の戸尻側端面とを開口する一方、他端側の戸先側端面に遮蔽板部２５ｃを形成し、全体をガイド溝１２の形状に合わせて細長い溝形箱状に曲げ成形する。一対の対向する側板部２５ａ・２５ａには、それぞれ当接体３０を可動に係止する２本の細長なガイド穴（ガイド部）２１を平行に傾斜して設ける。上面部２５ｂには、長さ方向両端側に一対の丸穴の取付穴２２・２２を設け、取付穴２２・２２間に矩形なばね取付窓２３を設ける。取付穴２２・２２には、取付ねじ２４をねじ込んで戸当たり２０をガイドレール１３内の上面に取り付ける。ばね取付窓２３には、上面部２５ｂの幅方向に沿った窓縁にガイド穴２１と平行に傾けてばね掛け凸部２３ａを下向きに突設する。そして、ガイドケースには、その中にあって当接体３０が下段の作動位置にあるとき戸先側端面３０ｃと重なる遮蔽板部２５ｃにドライバのような細長い操作具６０を通す間隙４０を設けている。図示例の間隙４０は、ドライバ６０の細長い先端６０ａが挿通する丸い小穴で形成している。
【００２９】
当接体３０は、ガイドケース２５の対向側板部２５ａ・２５ａ間の内幅寸法と同等か若干小さめの幅サイズで、下側を肉抜きした細長い角筒状に樹脂材料で一体に成形する。一対の対向する側板片３０ａ・３０ａには、それぞれガイドケース２５のガイド穴２１に係合する一対の凸部２６・２６を突設する。上板片３０ｂには、ガイドケース２５のばね取付窓２３と対応する矩形なばね取付窓２７を設ける。ばね取付窓２７には、ガイドケース２５側のばね掛け凸部２３ａと向き合うばね取付窓２７の窓縁にばね掛け凸部２７ａをガイド穴２１と平行に傾けて上向きに突設する。ばね掛け凸部２７ａと反対側の窓縁には、ばね掛け凸部２７ａと平行な向きに傾斜してばね受け板部２７ｂを突設している。
【００３０】
当接体３０は、戸先側端面３０ｃを、引戸１１の開方向に付勢ばね３５に抗して押し込むと戸尻側端面３０ｄがガイド突起１５の当接面１７ａに突き当たる下段の作動位置から、ガイド突起１５を超えて通過する上段の退避位置へ移動する向きに傾斜して形成する。たとえば図示例では、戸先側端面３０ｃを、下部側に向かうに従い次第に内部側に傾斜して形成する。一方、戸尻側端面３０ｄには、床側のガイド突起１５の当接面１７ａが当たる肉厚な突き当て部５５を形成する。
【００３１】
そこで、図示引き残し調整装置Ｒにおいて、戸当り２０は、図１、図３および図５に示すように、傾斜した戸先側端面３０ｃを前にして当接体３０を、戸尻側開口からガイドケース２５内に挿入して凸部２６・２６をガイド穴２１・２１に係合する一方、ばね取付窓２３から付勢ばね３５を入れてばね掛け凸部２３ａ・２７ａ間に装着する。すると、戸当り２０では、当接体３０を、付勢ばね３５で常時付勢し、ガイドケース２５内で長手方向他端側の戸先側端面３０ｃが操作用小穴４０を塞ぐ高さ位置で遮蔽板部２５ｃに押し当った状態で保持して組み立てる。戸当り２０は、引戸１０の戸先側木口４９にガイドケース２５の戸先側の遮蔽板部２５ｃを面一に整合させてガイド溝１２内の戸先側でガイドレール１３の上面に取り付け、ガイド溝１２内の戸先側において引戸１０に組み込んでなる。
【００３２】
従って、図示引き残し調整装置Ｒは、図５に示すように、引戸を開方向Ｘに移動して開扉すると、引戸１０を全開する手前の所定引き残し位置でガイド突起１５の当接面１７ａに戸当り２０の当接体３０の突き当て部５５を当ててそれ以上は開かないように規制する
構成になっている。一方、必要に応じて、開扉規制を解除して所定引き残し位置よりもさらに開けられる構成にする。引戸１０の引き残し長さＬはガイド突起１５の設置位置を調整して変更する。
【００３３】
さて、図示引き残し調整装置Ｒでは、開扉時は、通常、図４に示すように、全閉した引戸１０を、引手１１を持って矢示する開方向Ｘに移動し、図５に示すように、引戸１０が全開する手前の所定引き残し位置（引手１１を持つ指が仕切壁Ｗなど扉収納部に挟まれる手前側の位置）でガイド突起１５の当接面１７ａに戸当り２０の当接体３０の突き当て部５５を当てて、それ以上は開かないように規制する。従って、引戸１０を開いたとき、引戸１０が出入りする仕切壁Ｗの戸先側端縁４９からはみ出た所定の引き残し位置に引戸１０を止めてそれ以上は開かない開扉規制するから、引手１１を持つ指が仕切壁Ｗの戸先側端縁４９と引戸１０の戸先側端部１０ａとの間に挟まって怪我をすることを防止することができる。
【００３４】
次に、例えば部屋の出入口を通して車いすやベットなどを搬出入する場合など、より大きな出入口（開口部）が必要なときは、細長い操作具、例えば図８に示すように、ドライバ６０を用いて操作して引戸１０の開扉規制を解除する。即ち、戸当り２０の操作具用に間隙４０、例えば小穴から、覗いて見える当接体３０の戸先側端面３０ｃを、ドライバ６０の先端６０ａで矢示する開方向Ｘに付勢ばね３５に抗して押し込む。すると、当接体３０は、図９および図１０に示すように、戸尻側端面３０ｄがガイド突起１５の当接面１７ａに突き当った下段の作動位置から、突部１７を超えて通過する上段の退避位置へ移動する向きに傾斜するため、当接体３０は、ガイド穴２１の傾きに誘導されながら上向きに傾動してガイド突起１５の突部１７の当たらない上段の退避位置へ退避し、いったん開扉規制を解除する。
【００３５】
そこで、図１（Ｂ）に示すように開扉規制を解除している間に、図１１に示すように、引戸１０を、全開する手前の引き残し位置よりもさらに開けられ、随時、図１２に示すように全開させることができる。しかる後、図示引き残し調整装置Ｒでは、引戸１０を閉めるときは、引戸１０を閉方向Ｙに移動させると、付勢ばね３５の付勢力により上段の退避位置にある当接体３０をガイド突起１５の突部１７から降ろして下段の作動位置に自動的に復帰させる。即ち、引戸１０を開いたときには、引戸１０が出入りする仕切壁Ｗの戸先側端縁４９からはみ出た所定の引き残し位置に引戸１０を止めて開扉規制する。
【００３６】
上述した図示例では、戸当り２０の当接体３０を付勢する付勢手段は、圧縮コイルばねからなる付勢ばね３５であったが、当接体３０を付勢する手段であれば、ばね部材に限られず、ゴムや樹脂など弾性部材であってもよい。また、上述した図示例では、この付勢手段に抗して当接体３０を押し込む操作具６０にドライバを用いたが、間隙４０に挿通して当接体３０を押し込み操作できる細長い操作具であれば、他の細長い棒材や軸やピンなどであってもよい。一方、図示例では、操作具６０が挿通する間隙４０は、ドライバの先端６０ａが挿通する丸い小穴で形成したが、細長い操作具が挿通する隙間であればよく、当然、その形状は丸穴に限られない。
【００３７】
以上のように、図示引き残し調整装置Ｒでは、戸当り２０の当接体３０を格納する溝形箱状をなすガイドケース２０の戸先側に遮蔽板部２５ｃを形成し、遮蔽板部２５ｃを引戸ガイド溝１２の戸先側端面の溝開口に嵌め込んでガイド溝１２に嵌着し、当接体３０が引戸１０を開扉規制する下段の作動位置にあるとき戸先側端面３０ｃと重なるガイドケース２５の遮蔽板部２５ｃに細長い操作具６０を通す間隙４０を設ける構成とし、従来のごとく操作部分が外側にむき出しになることがないのは勿論、当接体３０の戸先側端面３０ｃのほんの一部が間隙４０から覗くだけであるため、故意に悪戯されたり不注意で押したり蹴ったりぶつけたりすることさえ考えられないため、戸当り２０が誤作動する余地さえなく、誤って開扉規制状態が解除されることがない結果、引戸１０を開くとき、扉収納部の戸先側端縁５０と引戸１０の戸先側木口４９との間に引手１１を持った手の指が挟まって怪我をすることを確実に防止することができる。また、引戸１０を、たとえ開扉規制状態のままで所定の引き残し位置から閉めることがあっても、引戸１０戸先側木口４９から突出した部位もないため、それが戸枠に突き当って同様に戸当り２０が誤作動して引戸１０の開扉規制が解かれる不具合を発生する余地もなく、従って、同様に指挟み事故を起こすこともなく、その結果、使用上の安全性を高めると共に、それだけ誤作動することが少ないと、部品の摩耗も少なく、その分だけ製品寿命を長くすることができる。
【００３８】
しかも、図示引き残し調整装置Ｒでは、戸当り２０のガイドケース２０の戸先側に遮蔽板部２５ｃを形成し、遮蔽板部２５ｃを引戸ガイド溝１２の戸先側端面の溝開口に嵌め込んでガイド溝１２に嵌着し、当接体３０が引戸１０を開扉規制する下段の作動位置にあるとき戸先側端面３０ｃと重なるガイドケース２５の遮蔽板部２５ｃに操作用の小穴４０を設け、これにより、戸当り２０のガイドケース２５の戸先側から操作部材を外側に露出させることなく、引戸１０のガイド溝１２の戸先側端面の溝開口から戸当り２０の内部構造が全く視認できず遮蔽された構造であるため、それだけスッキリした外観を呈し、引戸周りの見栄えを良くして美観性を高めることができる。
【００３９】
また、図示引き残し調整装置Ｒでは、戸当り２０の当接体３０を、付勢ばね３５で常時付勢し、ガイドケース２５内で長手方向他端側の戸先側端面３０ｃが操作用小穴４０を塞ぐ高さ位置で遮蔽板部２５ｃに押し当った状態で保持するから、ガイドケース２５内において引戸１０が開方向Ｘに移動するときに長手方向一端側の戸尻側端面３０ｄがガイド突起１５の当接面１７ａに突き当たる作動位置に確実に保持すことができ、その結果、戸当り２０が誤作動して引戸１０の開扉規制が解かれる不具合を少なくし、その結果、さらに確実に指挟み事故を防止し、誤作動を少なくして一層安全性を高めことができる。
【００４０】
さらに、図示引き残し調整装置Ｒでは、戸当り２０の当接体３０は、引戸１０の開方向Ｘに戸先側端面２５ｃを押し込むと、前記作動位置から前記退避位置に移動する向きに傾斜して形成するから  ドライバ６０の細長い先端６０ａで開方向Ｘに押し込むだけの簡単な操作により戸当り２０の当接体３０の作動位置と退避位置間の移動をより的確に且つスムーズに行うことができる。
【００４１】
なお、図示引き残し調整装置Ｒでは、戸当り２０のガイドケース２５は、対向する一対の側板部２５ａに前記作動位置と前記退避位置間を移動する当接体３０を案内するガイド穴２１を設け、当接体３０は、ガイド穴２１の傾きに誘導されながら上向きに傾動してガイド突起１５の突部１７の当たらない上段の退避位置へ退避し、いったん開扉規制を解除し、当接体３０の作動位置と退避位置間の移動を確実に且つ安定させることができる。
【符号の説明】
【００４２】
Ｆ                      床面
Ｒ                      引き残し調整装置
Ｗ                      仕切壁
１０                    引戸
１２                    ガイド溝
１５                    ガイド突起
２０                    戸当り
２５                    ガイドケース
２５ｃ                  遮蔽板部
３０                    当接体
３５                    付勢ばね（付勢手段）
４０                    操作用の間隙
６０                    操作具    
【図１】
2017172122.tif 000003
【図２】
2017172122.tif 000004
【図３】
2017172122.tif 000005
【図４】
2017172122.tif 000006
【図５】
2017172122.tif 000007
【図６】
2017172122.tif 000008
【図７】
2017172122.tif 000009
【図８】
2017172122.tif 000010
【図９】
2017172122.tif 000011
【図１０】
2017172122.tif 000012
【図１１】
2017172122.tif 000013
【図１２】
2017172122.tif 000014
【図１３】
2017172122.tif 000015
【手続補正書】
【提出日】平成29年5月15日(2017.5.15)
【手続補正１】
【補正対象書類名】特許請求の範囲
【補正対象項目名】全文
【補正方法】変更
【補正の内容】
【特許請求の範囲】
【請求項１】
引戸の下端面に沿って凹設したガイド溝内の戸先側に組み込む戸当りと、引戸が移動する軌道下の床面上に固定し、前記ガイド溝に係合して引戸を開閉方向に案内するガイド突起とで構成し、開扉時、引戸を全開する手前の所定引き残し位置で前記ガイド突起に前記戸当りを当ててそれ以上は開かないように規制する一方、必要に応じて、開扉規制を解除して所定引き残し位置よりもさらに開けられるようにする引き残し調整装置であって、
前記戸当りは、
下部側と長手方向一端側の戸尻側端面とを開口する一方、他端側の戸先側端面に遮蔽板部を形成した溝形箱状をなし、該遮蔽板部を前記ガイド溝の戸先側端面の溝開口に嵌め込んで前記ガイド溝に嵌着したガイドケースと、
該ガイドケース内において引戸が開方向に移動するときに長手方向一端側の戸尻側端面が前記ガイド突起に突き当たる作動位置と、引戸が開方向に移動するとき前記ガイド突起を超えて通過する退避位置との間を移動可能に格納した当接体とを備え、
該当接体が作動位置にあるとき当接体の戸先側端面と重なる前記ガイドケースの前記遮蔽板部に細長い操作具を通す間隙を設ける一方、前記当接体を、付勢手段で付勢して常時は前記ガイドケース内で長手方向他端側の戸先側端面が前記間隙を塞ぐ位置で前記遮蔽板部に押し当てた状態で保持してなることを特徴とする、引戸の引き残し調整装置。
【請求項２】
前記当接体は、引戸の開方向に当接体の戸先側端面を押し込むと、前記作動位置から前記退避位置に移動する向きに傾斜して形成してなることを特徴とする、請求項1に記載の引戸の引き残し調整装置。
【請求項３】
前記ガイドケースは、対向する一対の側板部に前記当接体を前記作動位置と前記退避位置間を移動する当接体を案内するガイド部を設けてなることを特徴とする、請求項1又は２に記載の引戸の引き残し調整装置。
【手続補正２】
【補正対象書類名】明細書
【補正対象項目名】０００８
【補正方法】変更
【補正の内容】
【０００８】
請求項１に記載の発明は、以下に示す図示実施の形態のとおり、引戸１０の下端面１０ａに沿って凹設したガイド溝１２内の戸先側に組み込む戸当り２０と、引戸１０が移動する軌道下の床面Ｆ上に固定し、前記ガイド溝１２に係合して引戸１０を開閉方向に案内するガイド突起１５とで構成し、開扉時、引戸１０を全開する手前の所定引き残し位置で前記ガイド突起１５に前記戸当り２０を当ててそれ以上は開かないように規制する一方、必要に応じて、開扉規制を解除して所定引き残し位置よりもさらに開けられるようにする引き残し調整装置Ｒであって、前記戸当り２０は、下部側と長手方向一端側の戸尻側端面とを開口する一方、他端側の戸先側端面に遮蔽板部２５ｃを形成した溝形箱状をなし、該遮蔽板部２５ｃを前記ガイド溝１２の戸先側端面の溝開口に嵌め込んで前記ガイド溝１２に嵌着したガイドケース２５と、該ガイドケース２５内において引戸１０が開方向Ｘに移動するときに長手方向一端側の戸尻側端面３０ｄが前記ガイド突起１５に突き当たる作動位置と、引戸が閉方向Ｙに移動するとき前記ガイド突起１５を超えて通過する退避位置との間を移動可能に格納した当接体３０とを備え、該当接体３０が作動位置にあるとき当接体３０の戸先側端面３０ｃと重なる前記ガイドケース２５の前記遮蔽板部２５ｃに細長い操作具６０を通す間隙４０を設ける一方、前記当接体３０を、付勢手段で付勢して常時は前記ガイドケース２５内で長手方向他端側の戸先側端面３０ｃが前記間隙４０を塞ぐ位置で前記遮蔽板部２５ｃに押し当てた状態で保持してなることを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
請求項２に記載の発明は、請求項1に記載の引戸の引き残し調整装置において、たとえば以下に示す図示実施の形態のとおり、前記当接体３０は、引戸１０の開方向に当接体の戸先側端面を押し込むと、前記作動位置から前記退避位置に移動する向きに傾斜して形成してなることを特徴とする。
【手続補正５】
【補正対象書類名】明細書
【補正対象項目名】００１１
【補正方法】変更
【補正の内容】
【００１１】
請求項３に記載の発明は、請求項１又は２に記載の引戸の引き残し調整装置において、以下に示す図示実施の形態のとおり、ガイドケース２５は、対向する一対の側板部２５ａ・２５ａに前記当接体３０を前記作動位置と前記退避位置間を移動する前記当接体を案内するガイド穴２１のようなガイド部を設けてなることを特徴とする。
【手続補正６】
【補正対象書類名】明細書
【補正対象項目名】００１４
【補正方法】変更
【補正の内容】
【００１４】
さらに、請求項１に記載の発明によれば、戸当りの当接体を、付勢手段で常時付勢し、ガイドケース内で長手方向他端側の戸先側端面が操作用の間隙を塞ぐ位置で遮蔽板部に押し当った状態で保持するから、ガイドケース内において引戸が開方向に移動するときに長手方向一端側の戸尻側端面がガイド突起の当接面に突き当たる作動位置に確実に保持することができ、その結果、戸当りが誤動作して引戸の開扉規制が解かれる不具合を少なくし、その結果、さらに確実に指挟み事故を防止し、誤動作を少なくして一層安全性を高めることができる。
【手続補正７】
【補正対象書類名】明細書
【補正対象項目名】００１５
【補正方法】変更
【補正の内容】
【００１５】
請求項２に記載の発明によれば、戸当りの当接体は、引戸の開方向に当接体の戸先側端面を押し込むと、作動位置から退避位置に移動する向きに傾斜して形成するから、細長い操作具で開方向に押し込むだけの簡単な操作により、戸当りの当接体の作動位置と退避位置間の移動をより的確に且つスムーズに行うことができる。
【手続補正８】
【補正対象書類名】明細書
【補正対象項目名】００１６
【補正方法】変更
【補正の内容】
【００１６】
なお、請求項３に記載の発明によれば、戸当りのガイドケースは、対向する一対の側板部に前記作動位置と前記退避位置間を移動する当接体を案内するガイド部を設け、当接体は、ガイド部の傾きに誘導されながら上向きに傾動してガイド突起の当たらない退避位置へ退避し、いったん開扉規制を解除し、当接体の作動位置と退避位置間の移動を確実に且つ安定させることができる。